(57)【特許請求の範囲】
【請求項１】
物体側より像側へ順に、正の屈折力の第１レンズ群、負の屈折力の第２レンズ群、正の屈折力の第３レンズ群、正の屈折力の第４レンズ群を有し、各レンズ群の間隔を変化させてズーミングを行うズームレンズであって、
該第１レンズ群は、広角端から望遠端へのズーミングに際して、広角端に比べ望遠端において物体側に位置するように、像側へ移動した後に物体側へ移動し、
該第１レンズ群の広角端における位置と、該第１レンズ群の最も像側へ移動したときの位置との距離をＸｉｍｇ、
該第１レンズ群の広角端における位置と、該第１レンズ群の最も物体側へ移動したときの位置との距離をＸｏｂｊ、
該ズームレンズの広角端における焦点距離をｆｗとするとき、
０．１ ＜Ｘｉｍｇ／ｆｗ＜２．５
４．８０＜Ｘｏｂｊ／ｆｗ＜１５．００
なる条件を満足することを特徴とするズームレンズ。
【請求項２】
前記第２レンズ群の広角端と望遠端における横倍率をそれぞれβ２ｗ、β２ｔ、前記第３レンズ群の広角端と望遠端における横倍率をそれぞれβ３ｗ、β３ｔとするとき、
４．０＜β２ｔ／β２ｗ＜１２．０
１．５＜β３ｔ／β３ｗ＜ ６．０
なる条件を満足することを特徴とする請求項１に記載のズームレンズ。
【請求項３】
前記第２レンズ群の焦点距離をｆ２、前記第３レンズ群の焦点距離をｆ３とするとき、
−０．６５＜ｆ２／ｆ３＜−０．３５
なる条件を満足することを特徴とする請求項１又は２に記載のズームレンズ。
【請求項４】
前記第１レンズ群の焦点距離をｆ１とするとき、
１１．８＜ｆ１／ｆｗ＜２０．０
なる条件を満足することを特徴とする請求項１、２又は３に記載のズームレンズ。
【請求項５】
ズーミングに際して、前記第１、２、３、４レンズ群が移動することを特徴とする請求項１乃至４のいずれか１項に記載のズームレンズ。
【請求項６】
前記第２レンズ群は、物体側から像側へ順に、負の屈折力の第１レンズ、負の屈折力の第２レンズ、負の屈折力の第３レンズ、正の屈折力の第４レンズから構成され、該第２レンズ群の各レンズの材料の屈折率のうち最も低い屈折率が１．８以上であることを特徴とする請求項１乃至５のいずれか１項に記載のズームレンズ。
【請求項７】
前記第３レンズ群は、物体側から像側へ順に、物体側が凸面の正レンズ、物体側が凸面でメニスカス形状の負レンズ、物体側が凸面でメニスカス形状の負レンズと正レンズが接合された接合レンズより成ることを特徴とする請求項１乃至６のいずれか１項に記載のズームレンズ。
【請求項８】
前記第４レンズ群の像側に、正又は負の屈折力の第５レンズ群を有することを特徴とする請求項１乃至７のいずれか１項に記載のズームレンズ。
【請求項９】
固体撮像素子に像を形成することを特徴とする、請求項１乃至８のいずれか１項に記載のズームレンズ。
【請求項１０】
請求項１から９のいずれか１項に記載のズームレンズと、該ズームレンズによって形成される像を受光する固体撮像素子とを有することを特徴とする撮像装置。
【発明の詳細な説明】
【技術分野】
【０００１】
本発明はズームレンズ及びそれを有する撮像装置に関し、例えばビデオカメラ、電子スチルカメラ、放送用カメラ、銀塩写真用のカメラ等に好適なものである。
【背景技術】
【０００２】
近年、固体撮像素子を用いたビデオカメラ、デジタルスチルカメラ、放送用カメラ、そして銀塩フィルムを用いたカメラ等の撮像装置は高機能化され、又装置全体が小型化されている。そしてそれに用いる撮影光学系としてレンズ全長が短く、コンパクトでしかも高解像力のズームレンズであることが要求されている。
【０００３】
更に広画角で高ズーム比のズームレンズであることが要求されている。
【０００４】
これらの要求に応えるズームレンズとして物体側より像側へ順に、正の屈折力の第１レンズ群、負の屈折力の第２レンズ群、正の屈折力の第３レンズ群、正の屈折力の第４レンズ群の４つのレンズ群を有する４群ズームレンズが知られている。
【０００５】
この他、物体側より像側へ順に、正の屈折力の第１レンズ群、負の屈折力の第２レンズ群、正の屈折力の第３レンズ群、正の屈折力の第４レンズ群、正又は負の屈折力の第５レンズ群より成る５群ズームレンズが知られている。
【０００６】
この４群ズームレンズにおいて、第１レンズ群、第２レンズ群、第３レンズ群を移動させて変倍を行い、第４レンズ群にて変倍に伴う像面変動を補正すると共に、フォーカシングを行うリアフォーカス式の４群ズームレンズが知られている（特許文献１〜５）。
【０００７】
又、前述の５群ズームレンズにおいて第５レンズ群が正の屈折力であり、ズーミングに際して第１〜第４レンズ群を移動させて高ズーム比化を図ったズームレンズが知られている（特許文献６）。
【特許文献１】特開平０８−０５０２４４号公報
【特許文献２】特開２００３−２９５０５９号公報
【特許文献３】特開２００４−１９９０００号公報
【特許文献４】特開２００６−２８５０１９号公報
【特許文献５】特開２００６−１１３４５３号公報
【特許文献６】特開２００７−００３５５４号公報
【発明の開示】
【発明が解決しようとする課題】
【０００８】
一般にズームレンズ全体を小型にするためには、ズームレンズを構成する各レンズ群の屈折力を強めつつ、レンズ枚数を削減すれば良い。
【０００９】
しかしながら、このようにしたズームレンズは、各面の屈折力の増加に伴いレンズ肉厚が増してしまい、レンズ系の短縮効果が不十分になると同時に諸収差の補正が困難になってくる。
【００１０】
前述した４群ズームレンズや５群ズームレンズにおいて、高ズーム比とレンズ系全体の小型化を図りつつ良好な光学性能を得るには、各レンズ群の屈折力やレンズ構成、そして各レンズ群のズーミングに伴う移動条件等を適切に設定することが重要となる。
【００１１】
特に高ズーム比化を図りつつ、第１レンズ群（前玉）の有効径の小型化を図るにはズーミングに伴い第１レンズ群を移動させ、このときのズーミングに伴う第１レンズ群の移動条件を適切に設定することが重要になってくる。
【００１２】
この他、第２、第３レンズ群の屈折力やズーミングに伴う結像倍率を適切に設定することが重要になってくる。
【００１３】
これらの構成を適切に設定しないと高ズーム比を確保しつつ、全ズーム範囲で高い光学性能を得るのが大変困難になってくる。
【００１４】
本発明は高ズーム比で前玉径が小型であり、かつ全ズーム範囲にわたり高い光学性能が得られる小型のズームレンズ及びそれを有する撮像装置の提供を目的とする。
【課題を解決するための手段】
【００１５】
本発明のズームレンズは、物体側より像側へ順に、正の屈折力の第１レンズ群、負の屈折力の第２レンズ群、正の屈折力の第３レンズ群、正の屈折力の第４レンズ群を有し、各レンズ群の間隔を変化させてズーミングを行うズームレンズであって、
該第１レンズ群は、広角端から望遠端へのズーミングに際して、広角端に比べ望遠端において物体側に位置するように、像側へ移動した後に物体側へ移動し、
該第１レンズ群の広角端における位置と、該第１レンズ群の最も像側へ移動したときの位置との距離をＸｉｍｇ、
該第１レンズ群の広角端における位置と、該第１レンズ群の最も物体側へ移動したときの位置との距離をＸｏｂｊ、
該ズームレンズの広角端における焦点距離をｆｗとするとき、
０．１ ＜Ｘｉｍｇ／ｆｗ＜２．５
４．８０＜Ｘｏｂｊ／ｆｗ＜１５．００
なる条件を満足することを特徴としている。
【発明の効果】
【００１６】
本発明によれば、高ズーム比で前玉径が小型であり、かつ全ズーム範囲にわたり高い光学性能が得られる小型のズームレンズが得られる。
【発明を実施するための最良の形態】
【００１７】
以下、本発明のズームレンズ及びそれを有する撮像装置の実施例について説明する。
【００１８】
本発明のズームレンズは、物体側より像側へ順に、正の屈折力の第１レンズ群、負の屈折力の第２レンズ群、正の屈折力の第３レンズ群、正の屈折力の第４レンズ群を有している。そしてズーミングに際して、各レンズ群の間隔（第１レンズ群と第２レンズ群との間隔、第２レンズ群と第３レンズ群との間隔、そして第３レンズ群と第４レンズ群との間隔）を変化させている。本実施例においては、第１、２、３、４レンズ群がズーミングに際して移動させているがその限りでは無く、例えば第１、２、３レンズ群のみを移動させても良いし、第２、３、４レンズ群のみを移動させても良い。また、本実施例において第５レンズ群を有する実施例の場合は、第５レンズ群はズーミングのためには移動しない。
【００１９】
このうち第１レンズ群は広角端から望遠端へのズーミングに際し、像側へ移動した後に物体側へ広角端に比べ望遠端において物体側に位置するようにしている。
【００２０】
図１は本発明の実施例１のズームレンズの広角端（短焦点距離）におけるレンズ断面図、図２、図３はそれぞれ実施例１のズームレンズの広角端、望遠端（長焦点距離）における収差図である。
【００２１】
図４は本発明の実施例２のズームレンズの広角端におけるレンズ断面図、図５、図６はそれぞれ実施例２のズームレンズの広角端、望遠端における収差図である。
【００２２】
図７は本発明の実施例３のズームレンズの広角端におけるレンズ断面図、図８、図９はそれぞれ実施例３のズームレンズの広角端、望遠端における収差図である。
【００２３】
図１０は本発明の実施例４のズームレンズの広角端におけるレンズ断面図、図１１、図１２はそれぞれ実施例４のズームレンズの広角端、望遠端における収差図である。
【００２４】
図１３は本発明の実施例５のズームレンズの広角端におけるレンズ断面図、図１４、図１５はそれぞれ実施例５のズームレンズの広角端、望遠端における収差図である。
【００２５】
図１６は本発明の実施例６のズームレンズの広角端におけるレンズ断面図、図１７、図１８はそれぞれ実施例６のズームレンズの広角端、望遠端における収差図である。
【００２６】
図１９は本発明の実施例７のズームレンズの広角端におけるレンズ断面図、図２０、図２１はそれぞれ実施例７のズームレンズの広角端、望遠端における収差図である。
【００２７】
図２２は本発明のズームレンズを備えるカメラ（撮像装置）の要部概略図である、各実施例のズームレンズはビデオカメラやデジタルカメラそして銀塩フィルムカメラ等の撮像装置に用いられる撮影レンズ系である。
【００２８】
レンズ断面図において、左方が物体側（前方）で、右方が像側（後方）である。レンズ断面図において、ｉは物体側からのレンズ群の順番を示し、Ｌｉは第ｉレンズ群である。
【００２９】
実施例１〜４、７のレンズ断面図において、Ｌ１は正の屈折力（光学的パワー＝焦点距離の逆数）の第１レンズ群、Ｌ２は負の屈折力の第２レンズ群、Ｌ３は正の屈折力の第３レンズ群、Ｌ４は正の屈折力の第４レンズ群である。
【００３０】
実施例５のレンズ断面図において、Ｌ１は正の屈折力の第１レンズ群、Ｌ２は負の屈折力の第２レンズ群、Ｌ３は正の屈折力の第３レンズ群、Ｌ４は正の屈折力の第４レンズ群、Ｌ５は負の屈折力の第５レンズ群である。
【００３１】
実施例６のレンズ断面図において、Ｌ１は正の屈折力の第１レンズ群、Ｌ２は負の屈折力の第２レンズ群、Ｌ３は正の屈折力の第３レンズ群、Ｌ４は正の屈折力の第４レンズ群、Ｌ５は正の屈折力の第５レンズ群である。
【００３２】
各レンズ断面図において、ＳＰは開口絞りであり、第３レンズ群Ｌ３の物体側に配置している。
【００３３】
Ｇは光学フィルター、フェースプレート、水晶ローパスフィルター、赤外カットフィルター等に相当する光学ブロックである。
【００３４】
ＩＰは像面であり、ビデオカメラやデジタルスチルカメラの撮影光学系として使用する際にはＣＣＤセンサやＣＭＯＳセンサ等の固体撮像素子（光電変換素子）の撮像面に、銀塩フィルム用カメラのときはフィルム面に相当する感光面が置かれる。
【００３５】
収差図において、ｄ、ｇは各々ｄ線及びｇ線である。ΔＭ，ΔＳは各々メリディオナル像面、サジタル像面である。倍率色収差はｇ線によって表している。ωは半画角、Ｆ．ＮＯはＦナンバーである。
【００３６】
尚、以下の各実施例において広角端と望遠端は変倍用レンズ群が機構上光軸上を移動可能な範囲の両端に位置したときのズーム位置をいう。
【００３７】
各実施例では、広角端から望遠端へのズーミングに際して矢印のように各レンズ群を移動させている。
【００３８】
具体的には、広角端から望遠端へのズーミングに際して第１レンズ群Ｌ１を像側へ移動させた後、物体側へ移動させている。即ち像側へ凸状の軌跡を描いて移動させている。第２レンズ群Ｌ２を像側へ移動させた後に物体側へ移動させている。即ち像側へ凸状の軌跡を描いて移動させている。
【００３９】
第３レンズ群Ｌ３を物体側へ移動させている。又、第４レンズ群Ｌ４は変倍に伴う像面位置の変動を補正するように物体側に凸状の軌跡で移動させている。
【００４０】
実施例５、６において第５レンズ群Ｌ５はズーミングのためには（ズーミングに際して）不動である。
【００４１】
広角端から望遠端へのズーミングに際し、第１レンズ群Ｌ１は広角端に比べて望遠端において物体側に位置する様に移動させている。これにより広角端におけるレンズ全長を小型に維持しつつ、大きなズーム比が得られるようにしている。
【００４２】
又、各実施例では、ズーミングに際して第３レンズ群Ｌ３を物体側に移動させることにより、第３レンズ群Ｌ３と第４レンズ群Ｌ４に変倍分担を持たせている。更に正の屈折力の第１レンズ群Ｌ１を移動することで第２レンズ群Ｌ２に大きな変倍効果を持たせている。これにより第１レンズ群Ｌ１と、第２レンズ群Ｌ２の屈折力をあまり大きくすることなく高いズーム比が得られるようにしている。
【００４３】
また、第４レンズ群Ｌ４を光軸上移動させてフォーカシングを行うリアフォーカス式を採用している。
【００４４】
望遠端において無限遠物体から近距離物体へフォーカスを行う場合にはレンズ断面図に示す第４レンズ群Ｌ４を前方に繰り出すことによって行っている。
【００４５】
各実施例では、開口絞りＳＰがズーミングに際して第３レンズ群と一体にて移動している。開口絞りＳＰを第３レンズ群Ｌ３と一体に移動すると移動／可動で分けられる群数が少なくなり、メカ構造が簡素化しやすくなる。
【００４６】
各実施例において、第１レンズ群Ｌ１の広角端における位置と、第１レンズ群Ｌ１の最も像側へ移動したときの位置との距離をＸｉｍｇとする。
【００４７】
第１レンズ群Ｌ１の広角端における位置と、第１レンズ群Ｌ１の最も物体側へ移動したときの位置との距離をＸｏｂｊとする。
【００４８】
ズームレンズの広角端における焦点距離をｆｗとする。このとき、
０．１  ＜Ｘｉｍｇ／ｆｗ＜２．５        ‥‥‥（１）
４．８０＜Ｘｏｂｊ／ｆｗ＜１５．００    ‥‥‥（２）
なる条件を満足している。
【００４９】
各実施例におけるズームレンズでは、第２レンズ群Ｌ２を像面側に凸状の軌跡を描いて移動させることによって変倍を行っている。ここで高変倍比を得るためには望遠端において第１レンズ群と第２レンズ群が広がるように各レンズ群が移動することが必要である。
【００５０】
条件式（１）、（２）は第１レンズ群Ｌ１が像側に凸形状のズーム軌跡で移動するときの像側への移動量の最大値と物体側への移動量の最大値を規定するものである。
【００５１】
条件式（１）の下限を超えると、広角端から少し望遠側寄りのズーム位置において、軸外光線の第１レンズ群Ｌ１への入射高が高くなり、前玉径が大きくなってしまう。
【００５２】
条件式（１）の上限を超えると高変倍が容易になるが、第２レンズ群Ｌ２の像側への移動量が大きくなりすぎて、広角端における第２レンズ群Ｌ２の位置に押し出されるように、第１レンズ群Ｌ１と絞りＳＰの距離が広がってしまう。
【００５３】
このため、広角端において、軸外光線の第１レンズ群Ｌ１への入射高が高くなり、前玉径が大きくなってしまう。
【００５４】
条件式（２）の下限を超えて高ズーム比を得ようとすると、次のような問題が生じてくる。望遠端において第１レンズ群Ｌ１の物体側への繰り出し量が少なくなり、第２レンズ群Ｌ２の移動軌跡が単調に像側に移動するようになってしまう。
【００５５】
すると、広角端で第２レンズ群Ｌ２の移動スペースを確保する必要性が生じ、第１レンズ群Ｌ１と絞りＳＰの距離が広がってしまい、前玉径が大きくなってしまう。条件式（２）の上限を超えると、望遠端でのレンズ全長が長くなり、全体が大型化してしまう。
【００５６】
更に、上限値を超えて高ズーム比を得ようとすると、第１レンズ群Ｌ１が自重で偏心した際の光学性能を良好に維持するのが難しくなる。この結果、高ズーム比化が難しくなる。
【００５７】
従って、条件式（１）、（２）を満足するような構成をとることにより前玉径を小型化しつつ高ズーム比を得ることが容易となる。
【００５８】
同理由から更に好ましくは条件式（１）、（２）の数値範囲を次の如く設定するのが良い。
【００５９】
０．２  ＜Ｘｉｍｇ／ｆｗ＜  １．７    ‥‥‥（１ａ）
４．８０＜Ｘｏｂｊ／ｆｗ＜１０．０    ‥‥‥（２ａ）
同理由から更に好ましくは条件式（１ａ）、（２ａ）を次の如く設定するのが良い。
【００６０】
０．２５＜Ｘｉｍｇ／ｆｗ＜  １．７０  ‥‥‥（１ｂ）
４．８０＜Ｘｏｂｊ／ｆｗ＜  ７．７０  ‥‥‥（２ｂ）
以上のように、ズーミングに伴う第１レンズ群Ｌ１の移動条件を適切に設定することにより、前玉径の小型化を図りつつ、広角端から望遠端に至る全ズーム範囲にわたり良好なる光学性能を有する、ズームレンズを得ている。
【００６１】
尚、各実施例においては、好ましくは次の条件のうち１以上を満足するのが良い。それによれば各条件に対応した効果が得られる。
【００６２】
第２レンズ群Ｌ２の広角端と望遠端における横倍率をそれぞれβ２ｗ、β２ｔとする。
【００６３】
第３レンズ群Ｌ３の広角端と望遠端における横倍率をそれぞれβ３ｗ、β３ｔとする。
【００６４】
第２レンズ群Ｌ２の焦点距離をｆ２、第３レンズ群Ｌ３の焦点距離をｆ３とする。
【００６５】
第１レンズ群Ｌ１の焦点距離をｆ１とする。
【００６６】
このとき、
４．０＜β２ｔ／β２ｗ＜１２．０    ‥‥‥（３）
１．５＜β３ｔ／β３ｗ＜  ６．０    ‥‥‥（４）
−０．６５＜ｆ２／ｆ３＜−０．３５  ‥‥‥（５）
１１．８＜ｆ１／ｆｗ＜２０．０      ‥‥‥（６）
なる条件のうち１以上を満足するのが良い。
【００６７】
条件式（３）、（４）は第２レンズ群Ｌ２と第３レンズ群Ｌ３の適度な変倍作用の範囲を規定するものである。条件式（３）の下限値を超えて高ズーム比を得ようとすると第３レンズ群Ｌ３の変倍作用が強くなりすぎ、収差補正が困難となる。又、製造敏感度が高くなるなどの問題が生じ、高ズーム比化が困難となる。
【００６８】
条件式（３）の上限値を超えて高ズーム比を得ようとすると、第２レンズ群Ｌ２の変倍作用が強くなりすぎ、収差補正が困難となる。又、製造敏感度が高くなるなどの問題が生じ、高ズーム比化が困難となる。
【００６９】
条件式（４）の下限値を超えて高ズーム比を得ようとすると第２レンズ群Ｌ２の変倍作用が強くなりすぎ、収差補正が困難となる。又、製造敏感度が高くなるなどの問題が生じ、高ズーム比化が困難となる。
【００７０】
条件式（４）の上限値を超えて高ズーム比を得ようとすると、第３レンズ群Ｌ３の変倍作用が強くなりすぎ、収差補正が困難となる。又、製造敏感度が高くなるなどの問題が生じ、高ズーム比化が困難となる。
【００７１】
条件式（３）、（４）を満足するように構成すれば、第２レンズ群Ｌ２だけでなく、第３レンズ群Ｌ３にも大きな変倍分担を与えることにより、第２レンズ群Ｌ２は変倍時に像側に凸の軌跡を描いて移動するようになる。
【００７２】
これは第２レンズ群Ｌ２が直線的に像側に移動する場合に比べて、第２レンズ群Ｌ２の像側への移動スペースを確保する必要性が少なくなるため、広角端における第２レンズ群Ｌ２の位置をより絞りＳＰに近く配置できる。
【００７３】
そうすることで、第１レンズ群Ｌ１の広角端における位置も絞りＳＰ近くに配置できる。つまりは前玉（第１レンズ群Ｌ１）を通過する軸外光線の高さを低くすることが容易となり、その結果、前玉径を小型化することができる。
【００７４】
同理由から更に好ましくは条件式（３）、（４）の数値範囲を次の如く設定するのが良い。
【００７５】
４．６  ＜β２ｔ／β２ｗ＜１０．０……（３ａ）
２．９  ＜β３ｔ／β３ｗ＜６．０  ……（４ａ）
同理由から更に好ましくは条件式（３ａ）、（４ａ）の数値範囲を次の如く設定するのが良い。
【００７６】
４．６  ＜β２ｔ／β２ｗ＜８．３  ……（３ｂ）
２．９  ＜β３ｔ／β３ｗ＜５．０  ……（４ｂ）
同理由から更に好ましくは条件式（３ｂ）、（４ｂ）の数値範囲を次の如く設定するのが良い。
【００７７】
４．６  ＜β２ｔ／β２ｗ＜６．５  ……（３ｃ）
２．９  ＜β３ｔ／β３ｗ＜４．５  ……（４ｃ）
各実施例におけるズームレンズにおいて、第２レンズ群Ｌ２のみで変倍して高ズーム比を得ようとした場合、収差補正が困難となり、又、製造敏感度が高くなるなどの問題が生じてくる。
【００７８】
この問題を解決するためには、第３レンズ群Ｌ３にも適度に変倍作用を分担させて、第２レンズ群Ｌ２の変倍寄与を小さくするのが良い。
【００７９】
条件式（５）は、第３レンズ群Ｌ３が適度な変倍作用を持つために必要な、第２レンズ群Ｌ２と第３レンズ群Ｌ３の適切な屈折力配置を規定している。
【００８０】
条件式（５）の下限を超えると、第２レンズ群Ｌ２の変倍作用が減少し、高ズーム比化が難しくなる。又、上限を超えると第３レンズ群Ｌ３の変倍作用が減少し、高ズーム比化が困難となる。
【００８１】
同理由から更に好ましくは条件式（５）の数値範囲を次の如く設定するのが良い。
【００８２】
−０．６５＜ｆ２／ｆ３＜−０．４５    ……（５ａ）
同理由から更に好ましくは条件式（５ａ）の数値範囲を次の如く設定するのが良い。
【００８３】
−０．５５＜ｆ２／ｆ３＜−０．４５    ……（５ｂ）
条件式（６）は第１レンズ群Ｌ１の適度な焦点距離の範囲を規定している。条件式（６）の下限を超えると第１レンズ群Ｌ１の屈折力が強くなりすぎ、望遠端における球面収差やコマ収差が悪化してしまう。
【００８４】
上限を超えると第１レンズ群Ｌ１の屈折力が弱くなりすぎ、前玉径が大型化してくる。
【００８５】
同理由から更に好ましくは条件式（６）の数値範囲を次の如く設定するのが良い。
【００８６】
１１．８＜ｆ１／ｆｗ＜１４．５    ……（６ａ）
同理由から更に好ましくは条件式（６ａ）の数値範囲を次の如く設定するのが良い。
【００８７】
１１．８＜ｆ１／ｆｗ＜１３．５    ……（６ｂ）
次に各レンズ群のレンズ構成の特徴に関して説明する。
【００８８】
第１レンズ群Ｌ１は有効レンズ径が他のレンズ群に比べて大きくなるので、レンズ枚数が少ない方が軽量化のために好ましい。
【００８９】
第１レンズ群Ｌ１は物体側から像側へ順に、物体側が凸面でメニスカス形状の負レンズと正レンズの各１枚を接合した接合レンズと、単一の正レンズより構成している。これにより、高変倍比を図ったときに多く発生する球面収差と色収差を良好に補正している。
【００９０】
第２レンズ群Ｌ２は、物体側から像側へ順に、負の屈折力の第１レンズ、負の屈折力の第２レンズ、負の屈折力の第３レンズ、正の屈折力の第４レンズから構成している。そして、第２レンズ群Ｌ２の各レンズの材料の屈折率のうち最も低い屈折率が１．８以上となるように構成している。
【００９１】
第２レンズ群Ｌ２の構成を、このように設定することにより、第２レンズ群Ｌ２を主点位置に対してより像側に配置することが容易となる。これにより、広角端での第１レンズ群Ｌ１と絞りＳＰとの距離を短くすることが容易となり、前玉径を小型にすることが容易となる。
【００９２】
また、第２レンズ群Ｌ２を構成するレンズの材料の屈折率が高いことで、負レンズの面の曲率を弱めることが容易となり、第２レンズ群Ｌ２の光軸方向の厚さを薄くすることができる。第２レンズ群Ｌ２が薄いことでより広角端での第１レンズ群Ｌ１と絞りＳＰの距離を短くすることができ、前玉径を小型にすることができる。
【００９３】
第３レンズ群Ｌ３は物体側から像側へ順に、物体側が凸面の正レンズ、物体側の面が凸面でメニスカス形状の負レンズ、物体側が凸面でメニスカス形状の負レンズと正レンズとを接合した接合レンズより構成している。
【００９４】
これによりズーミングに伴う収差変動が少なくなるようにしている。
【００９５】
第４レンズ群Ｌ４は物体側の面が凸形状の正レンズと負レンズの接合レンズより構成している。
【００９６】
これにより、第４レンズ群Ｌ４でフォーカスするときの色収差の変動が少なくなるようにしている。第４レンズ群Ｌ４は第１〜第３レンズ群Ｌ１〜Ｌ３の変倍に伴う像面位置の変動を補正している。
【００９７】
実施例５において第５レンズ群Ｌ５は物体側に凹面を向けた単一の負レンズより構成している。
【００９８】
又、実施例６において第５レンズ群Ｌ５は単一の正レンズより構成している。
【００９９】
次に各実施例のレンズ構成について説明する。
【０１００】
実施例１〜４、７は物体側から像側へ順に、正の屈折力の第１レンズ群Ｌ１、負の屈折力の第２レンズ群Ｌ２、正の屈折力の第３レンズ群Ｌ３、正の屈折力の第４レンズ群Ｌ４で構成されている。
【０１０１】
広角端から望遠端へのズーミングの際、第１レンズ群Ｌ１は像側に移動してから物体側に往復するように移動する。第２レンズ群Ｌ２は像側に移動してから物体側に往復するように移動する。第３レンズ群Ｌ３は物体側に移動する。第４レンズ群Ｌ４は像面位置を補正するように移動している。
【０１０２】
第３レンズ群Ｌ３と第４レンズ群Ｌ４にそれぞれ１面ずつ非球面を設け、球面収差や像面湾曲を補正している。絞りＳＰをＬ３の物体側に設けている。第４レンズ群Ｌ４と像面ＩＰの間には水晶ローパスフィルターや赤外カットフィルター等のガラスブロックＧが配置されている。
【０１０３】
実施例５は、物体側から像側へ順に、正の屈折力の第１レンズ群Ｌ１、負の屈折力の第２レンズ群Ｌ２、正の屈折力の第３レンズ群Ｌ３、正の屈折力の第４レンズ群Ｌ４、負の屈折力の第５レンズ群Ｌ５で構成されている。
【０１０４】
広角端から望遠端へのズーミングの際、第１レンズ群Ｌ１は像側に移動してから物体側に往復するように移動する。第２レンズ群Ｌ２は像側に移動してから物体側に往復するように移動する。第３レンズ群Ｌ３は物体側に移動する。第４レンズ群Ｌ４は像面位置を補正するように移動する。第５レンズ群Ｌ５は固定されている。
【０１０５】
第３レンズ群Ｌ３、第４レンズ群Ｌ４にそれぞれ１面ずつ非球面を設け、球面収差や像面湾曲を補正している。絞りＳＰを第３レンズ群Ｌ３の物体側に設けている。第５レンズ群Ｌ５と像面ＩＰの間には水晶ローパスフィルターや赤外カットフィルター等のガラスブロックＧが設けられている。
【０１０６】
実施例６は、実施例５に比べて、第５レンズ群Ｌ５が正の屈折力である点が異なっているだけであり、その他の構成は同じである。
【０１０７】
次に各実施例に示したようなズームレンズを撮影光学系として用いたデジタルスチルカメラの実施形態を図２２を用いて説明する。
【０１０８】
図２２において、２０はカメラ本体、２１は実施例１〜７で説明したいずれかのズームレンズによって構成された撮影光学系である。２２はカメラ本体に内蔵され、撮影光学系２１によって形成された被写体像を受光するＣＣＤセンサやＣＭＯＳセンサ等の固体撮像素子（光電変換素子）である。２３は固体撮像素子２２によって光電変換された被写体像に対応する情報を記録するメモリである。２４は液晶ディスプレイパネル等によって構成され、固体撮像素子２２上に形成された被写体像を観察するためのファインダである。
【０１０９】
このように本発明のズームレンズをデジタルスチルカメラ等の撮像装置に適用することにより、小型で高い光学性能を有する撮像装置が実現できる。
【０１１０】
次に、本発明の実施例１〜７に各々対応する数値実施例１〜７を示す。各数値実施例においてｉは物体側からの光学面の順序を示し、Ｒｉは第ｉ番目の光学面（第ｉ面）の曲率半径、Ｄｉは第ｉ面と第ｉ＋１面との間の間隔、Ｎｉとνｉはそれぞれｄ線に対する第ｉ番目の光学部材の材料の屈折率、アッベ数を示す。
【０１１１】
またｋを離心率、Ｂ、Ｃ、Ｄ、Ｅ、を非球面係数、光軸からの高さｈの位置での光軸方向の変位を面頂点を基準にしてｘとするとき、非球面形状は、
ｘ＝（ｈ２／Ｒ）／［１＋［１−（１＋ｋ）（ｈ／Ｒ）２］１／２］＋Ｂｈ４＋Ｃｈ６
＋Ｄｈ８＋Ｅｈ１０
で表示される。但しＲは曲率半径である。また例えば「Ｅ−Ｚ」の表示は「１０−Ｚ」を意味する。ｆは焦点距離、ＦｎｏはＦナンバー、ωは半画角を示す。
【０１１２】
数値実施例において最後の２つの面は、フィルター、フェースプレート等の光学ブロックの面である。
また、広角端から望遠端にズーミングする際の第１レンズ群Ｌ１、第２レンズ群Ｌ２、第３レンズ群Ｌ３の光軸方向の移動量をそれぞれM1、M2、M3とする。このとき、移動量M1、M2、M3は次のとおりである。
【０１１３】
M1=a1・x + a2・x2 + a3・x3+ a4・x4 + a5・x5 + a6・x6 + a7・x7 + a8・x8 + a9・x9 + a10・x10 
M2=b1・x + b2・x2 + b3・x3+ b4・x4 + b5・x5 + b6・x6 + b7・x7 + b8・x8 + b9・x9 + b10・x10
M3=c1・x 
但し、0≦x≦1である。x=0は広角端である。x=1は望遠端なる式で表している。像面側への移動量を正とする。a1〜a10、b1〜b10、c1は移動係数である。
【０１１４】
また、各数値実施例における上述した条件式との対応を表１に示す。
【０１１５】
数値実施例  1
ｆ＝ 5.20〜102.33  Ｆｎｏ＝ 2.83〜5.81   ２ω＝75.2°〜4.3°
R 1  =    67.925      D 1  =   1.90      N 1  = 1.806100     ν 1 = 33.3
R 2  =    34.767      D 2  =   5.93      N 2  = 1.496999     ν 2 = 81.5
R 3  =  2219.771      D 3  =   0.10      
R 4  =    33.644      D 4  =   4.36      N 3  = 1.603112     ν 3 = 60.6
R 5  =   125.629      D 5  =   可変      
R 6  =    49.420      D 6  =   1.00      N 4  = 1.882997     ν 4 = 40.8
R 7  =     8.897      D 7  =   3.78      
R 8  =    65.877      D 8  =   0.85      N 5  = 1.882997     ν 5 = 40.8
R 9  =    16.096      D 9  =   3.00      
R10  =   -47.560      D10  =   0.75      N 6  = 1.882997     ν 6 = 40.8
R11  =    74.951      D11  =   0.10      
R12  =    21.945      D12  =   2.31      N 7  = 1.922860     ν 7 = 18.9
R13  =  -223.123      D13  =   可変      
R14  =       絞り      D14  =   1.39      
*R15  =    10.419      D15  =   3.60      N 8  = 1.743198     ν 8 = 49.3
R16  =    35.520      D16  =   1.58      
R17  =    16.696      D17  =   1.05      N 9  = 1.806100     ν 9 = 33.3
R18  =     9.948      D18  =   0.28      
R19  =    15.912      D19  =   0.60      N10  = 2.003300     ν10 = 28.3
R20  =     6.800      D20  =   2.10      N11  = 1.693501     ν11 = 53.2
R21  =  -104.352      D21  =   可変      
R22  =     0.000      D22  =   0.00      
*R23  =    23.724      D23  =   2.85      N12  = 1.730770     ν12 = 40.5
R24  =   -14.113      D24  =   0.50      N13  = 1.717362     ν13 = 29.5
R25  =   129.973      D25  =   可変      
R26  =        ∞      D26  =   0.75      N14  = 1.516330     ν14 = 64.1
R27  =        ∞      
＼焦点距離       5.20  32.66  102.33
可変間隔＼
D 5                  0.80 28.76  38.90
D13                  34.06   5.27    1.88
D21                  7.58  9.00  38.72
D25                  5.41 15.45   1.76
非球面係数
15面 : ｋ= 5.22482e-02  Ｂ=-5.72674e-05  Ｃ=-7.74949e-07  Ｄ= 2.50837e-08  
Ｅ=-6.91845e-10
23面 : ｋ=-4.38897e-01  Ｂ=-4.42394e-06  Ｃ= 5.42763e-07  Ｄ=-2.02940e-08  
Ｅ= 3.17791e-10
移動係数
1群： a1= 3.62765e+01  a2=-1.98085e+02  a3= 6.06766e+01  a4= 1.94697e+02
a5=-1.26975e+02
2群： b1= 1.02490e+02  b2=-1.65280e+02  b3= 5.15621e+00  b4= 1.23044e+02
b5=-6.07188e+01
3群： c1=-2.74901e+01
数値実施例  2
ｆ＝ 5.20〜102.24  Ｆｎｏ＝ 2.87〜5.83   ２ω＝75.2°〜4.3°
R 1  =    70.756      D 1  =   1.90      N 1  = 1.806100     ν 1 = 33.3
R 2  =    35.603      D 2  =   5.88      N 2  = 1.496999     ν 2 = 81.5
R 3  =  6219.853      D 3  =   0.10      
R 4  =    34.737      D 4  =   4.35      N 3  = 1.603112     ν 3 = 60.6
R 5  =   141.972      D 5  =   可変      
R 6  =    50.161      D 6  =   1.00      N 4  = 1.882997     ν 4 = 40.8
R 7  =     8.871      D 7  =   3.81      
R 8  =    63.421      D 8  =   0.85      N 5  = 1.882997     ν 5 = 40.8
R 9  =    16.760      D 9  =   2.91      
R10  =   -52.934      D10  =   0.75      N 6  = 1.882997     ν 6 = 40.8
R11  =    64.163      D11  =   0.10      
R12  =    21.229      D12  =   2.30      N 7  = 1.922860     ν 7 = 18.9
R13  =  -443.451      D13  =   可変      
R14  =      絞り      D14  =   1.39      
*R15  =    10.252      D15  =   3.18      N 8  = 1.743198     ν 8 = 49.3
R16  =    36.275      D16  =   1.82      
R17  =    18.242      D17  =   1.05      N 9  = 1.806100     ν 9 = 33.3
R18  =     9.667      D18  =   0.26      
R19  =    14.736      D19  =   0.60      N10  = 2.003300     ν10 = 28.3
R20  =     6.874      D20  =   2.07      N11  = 1.693501     ν11 = 53.2
R21  =  -116.545      D21  =   可変      
R22  =     0.000      D22  =   0.00      
*R23  =    23.388      D23  =   2.52      N12  = 1.743198     ν12 = 49.3
R24  =   -30.811      D24  =   0.50      N13  = 1.717362     ν13 = 29.5
R25  =   110.106      D25  =   可変      
R26  =        ∞      D26  =   0.75      N14  = 1.516330     ν14 = 64.1
R27  =        ∞
＼焦点距離       5.20  37.49  102.24
可変間隔＼
D 5                  0.80 31.09  38.49
D13                  34.44   4.78    1.88
D21                  7.23 11.11  38.63
D25                  5.43 15.31   2.46
非球面係数
15面 : ｋ= 4.40217e-02  Ｂ=-5.94488e-05  Ｃ=-5.65696e-07  Ｄ= 1.25757e-08  
Ｅ=-4.84879e-10
23面 : ｋ=-4.78176e-01  Ｂ=-5.01954e-06  Ｃ= 8.05793e-07  Ｄ=-3.14984e-08  
Ｅ= 4.85734e-10
移動係数
1群： a1= 3.90142e+01  a2=-2.94170e+02  a3= 3.85277e+02  a4= 7.71724e+01
a5=-8.10637e+02  a6= 8.65908e+02  a7=-2.96624e+02  
2群： b1= 1.12843e+02  b2=-2.88109e+02  b3= 3.68976e+02  b4=-2.28110e+02
b5=-6.79860e+01  b6= 1.53158e+02  b7=-4.61425e+01  
3群： c1=-2.79332e+01
数値実施例  3
ｆ＝ 5.29〜104.23  Ｆｎｏ＝ 2.87〜5.88   ２ω＝75.2°〜4.3°
R 1  =    73.270      D 1  =   1.93      N 1  = 1.806100     ν 1 = 33.3
R 2  =    36.134      D 2  =   6.10      N 2  = 1.496999     ν 2 = 81.5
R 3  = -1593.867      D 3  =   0.10      
R 4  =    34.292      D 4  =   4.37      N 3  = 1.603112     ν 3 = 60.6
R 5  =   132.338      D 5  =   可変    
R 6  =    52.461      D 6  =   1.02      N 4  = 1.882997     ν 4 = 40.8
R 7  =     8.940      D 7  =   3.73      
R 8  =    45.883      D 8  =   0.87      N 5  = 1.882997     ν 5 = 40.8
R 9  =    16.672      D 9  =   2.94      
R10  =   -57.628      D10  =   0.76      N 6  = 1.882997     ν 6 = 40.8
R11  =    45.188      D11  =   0.10      
R12  =    20.109      D12  =   2.37      N 7  = 1.922860     ν 7 = 18.9
R13  = -1004.281      D13  =   可変    
R14  =      絞り      D14  =   1.40      
*R15  =    10.049      D15  =   3.41      N 8  = 1.743198     ν 8 = 49.3
R16  =    27.755      D16  =   1.48      
R17  =    16.673      D17  =   1.07      N 9  = 1.806100     ν 9 = 33.3
R18  =     9.550      D18  =   0.29      
R19  =    15.181      D19  =   0.61      N10  = 2.003300     ν10 = 28.3
R20  =     7.016      D20  =   2.09      N11  = 1.693501     ν11 = 53.2
R21  =   -84.195      D21  =   可変    
R22  =     0.000      D22  =   0.00      
*R23  =    24.228      D23  =   2.14      N12  = 1.743198     ν12 = 49.3
R24  =   -27.285      D24  =   0.51      N13  = 1.717362     ν13 = 29.5
R25  =   143.304      D25  =   可変    
R26  =        ∞      D26  =   0.76      N14  = 1.516330     ν14 = 64.1
R27  =        ∞
＼焦点距離       5.29  35.84  104.23
可変間隔＼
D 5                  0.80 29.98  39.17
D13                  34.11   4.98    1.88
D21                  7.58 10.61  39.65
D25                  5.70 15.61   2.40
非球面係数
15面 : ｋ= 2.80071e-02  Ｂ=-5.92226e-05  Ｃ=-5.08480e-07  Ｄ= 9.17201e-09  
Ｅ=-4.38251e-10
23面 : ｋ=-5.28143e-01  Ｂ=-5.34071e-06  Ｃ= 8.56601e-07  Ｄ=-3.33911e-08  
Ｅ= 4.98653e-10
移動係数
1群： a1= 3.92637e+01  a2=-2.76917e+02  a3= 2.88150e+02  a4= 1.86116e+02
a5=-6.91619e+02  a6= 5.92766e+02  a7=-1.72670e+02  
2群： b1= 1.14693e+02  b2=-3.04619e+02  b3= 3.09885e+02  b4= 2.95562e+02
b5=-1.22929e+03  b6= 1.21027e+03  b7=-3.93039e+02  
3群： c1=-2.87588e+01
数値実施例  4
ｆ＝ 5.20〜103.37  Ｆｎｏ＝ 2.85〜5.86   ２ω＝75.2°〜4.2°
R 1  =    70.825      D 1  =   2.00      N 1  = 1.806100     ν 1 = 33.3
R 2  =    36.803      D 2  =   6.31      N 2  = 1.496999     ν 2 = 81.5
R 3  =   902.547      D 3  =   0.10      
R 4  =    36.237      D 4  =   4.14      N 3  = 1.603112     ν 3 = 60.6
R 5  =   142.872      D 5  =   可変    
R 6  =    55.999      D 6  =   1.10      N 4  = 1.882997     ν 4 = 40.8
R 7  =    10.523      D 7  =   4.05      
R 8  =    62.759      D 8  =   0.85      N 5  = 1.882997     ν 5 = 40.8
R 9  =    16.044      D 9  =   3.92      
R10  =   -34.172      D10  =   0.75      N 6  = 1.834000     ν 6 = 37.2
R11  =   962.978      D11  =   0.10      
R12  =    28.210      D12  =   2.50      N 7  = 1.922860     ν 7 = 18.9
R13  =  -128.972      D13  =   可変    
R14  =      絞り      D14  =   1.39      
*R15  =    10.372      D15  =   3.29      N 8  = 1.693500     ν 8 = 53.2
R16  =    60.930      D16  =   1.84      
R17  =    17.800      D17  =   1.05      N 9  = 1.806100     ν 9 = 33.3
R18  =     9.712      D18  =   0.46      
R19  =    19.071      D19  =   0.60      N10  = 2.003300     ν10 = 28.3
R20  =     6.991      D20  =   2.33      N11  = 1.743997     ν11 = 44.8
R21  =  -299.426      D21  =   可変    
R22  =     0.000      D22  =   0.00      
R23  =    22.920      D23  =   2.77      N12  = 1.743198     ν12 = 49.3
R24  =   -21.915      D24  =   0.50      N13  = 1.688931     ν13 = 31.1
R25  =    74.446      D25  =   可変    
R26  =        ∞      D26  =   0.75      N14  = 1.516330     ν14 = 64.1
R27  =        ∞
＼焦点距離       5.20  40.43  103.37
可変間隔＼
D 5                  0.80 34.62  41.01
D13                  42.86   5.99    1.84
D21                  8.11 11.67  40.05
D25                  5.58 13.76   1.57
非球面係数
15面 : ｋ= 2.37811e-02  Ｂ=-6.06890e-05  Ｃ=-4.52717e-07  Ｄ= 1.94633e-09  
Ｅ=-1.24818e-10
移動係数
1群： a1= 9.73151e+00  a2= 2.17693e+03  a3=-2.50665e+04  a4= 1.21350e+05
a5=-3.32562e+05  a6= 5.60383e+05  a7=-5.88649e+05  a8= 3.72712e+05
a9=-1.28570e+05 a10= 1.81882e+04
2群： b1= 1.04805e+02  b2= 9.43438e+00  b3= 1.12339e+02  b4=-5.46126e+03
b5= 2.77398e+04  b6=-7.64446e+04  b7= 1.30014e+05  b8=-1.33078e+05
b9= 7.43465e+04 b10=-1.73295e+04
3群： c1=-2.79137e+01
数値実施例  5
ｆ＝ 5.30〜104.17  Ｆｎｏ＝ 2.87〜5.87   ２ω＝73.2°〜4.2°
R 1  =    78.887      D 1  =   1.93      N 1  = 1.806100     ν 1 = 33.3
R 2  =    37.025      D 2  =   6.10      N 2  = 1.496999     ν 2 = 81.5
R 3  =  -803.488      D 3  =   0.10      
R 4  =    34.768      D 4  =   4.37      N 3  = 1.603112     ν 3 = 60.6
R 5  =   134.498      D 5  =   可変    
R 6  =    38.420      D 6  =   1.02      N 4  = 1.882997     ν 4 = 40.8
R 7  =     8.740      D 7  =   3.73      
R 8  =    40.547      D 8  =   0.87      N 5  = 1.882997     ν 5 = 40.8
R 9  =    15.780      D 9  =   2.94      
R10  =   -48.391      D10  =   0.76      N 6  = 1.882997     ν 6 = 40.8
R11  =    46.731      D11  =   0.10      
R12  =    20.208      D12  =   2.37      N 7  = 1.922860     ν 7 = 18.9
R13  = -1004.281      D13  =   可変    
R14  =      絞り      D14  =   1.40      
*R15  =     9.986      D15  =   3.41      N 8  = 1.743198     ν 8 = 49.3
R16  =    22.473      D16  =   1.48      
R17  =    16.018      D17  =   1.07      N 9  = 1.806100     ν 9 = 33.3
R18  =     9.799      D18  =   0.29      
R19  =    15.025      D19  =   0.61      N10  = 2.003300     ν10 = 28.3
R20  =     7.263      D20  =   2.09      N11  = 1.693501     ν11 = 53.2
R21  =   -67.883      D21  =   可変    
R22  =     0.000      D22  =   0.00      
*R23  =    24.665      D23  =   2.14      N12  = 1.743198     ν12 = 49.3
R24  =   -18.436      D24  =   0.51      N13  = 1.761821     ν13 = 26.5
R25  =  -163.759      D25  =   可変    
R26  =   -18.299      D26  =   0.80      N14  = 1.516330     ν14 = 64.1
R27  = -1200.669      D27  =   1.50      
R28  =        ∞      D28  =   0.76      N15  = 1.516330     ν15 = 64.1
R29  =        ∞
＼焦点距離       5.30  32.48  104.17
可変間隔＼
D 5                  0.80 28.45  40.70
D13                  33.11   3.54    1.79
D21                  6.89  9.74  36.74
D25                  6.59 15.90    3.77
非球面係数
15面 : ｋ=-1.68720e-01  Ｂ=-3.92397e-05  Ｃ=-3.61583e-07  Ｄ= 1.18626e-08  
Ｅ=-3.61328e-10
23面 : ｋ=-5.28143e-01  Ｂ=-5.34071e-06  Ｃ= 8.56601e-07  Ｄ=-3.33911e-08  
Ｅ= 4.98653e-10
移動係数
1群： a1= 4.89168e+01  a2=-2.84416e+02  a3= 2.87222e+02  a4= 1.86424e+02
a5=-6.91238e+02  a6= 5.92250e+02  a7=-1.74775e+02  
2群： b1= 1.16559e+02  b2=-3.06353e+02  b3= 3.19612e+02  b4= 2.93278e+02
b5=-1.23029e+03  b6= 1.20619e+03  b7=-3.94706e+02
3群： c1=-2.70308e+01
数値実施例  6
ｆ＝ 4.92〜104.23  Ｆｎｏ＝ 2.78〜5.87   ２ω＝79.6°〜4.3°
R 1  =    74.324      D 1  =   1.93      N 1  = 1.806100     ν 1 = 33.3
R 2  =    36.134      D 2  =   6.10      N 2  = 1.496999     ν 2 = 81.5
R 3  = -1593.867      D 3  =   0.10      
R 4  =    34.292      D 4  =   4.37      N 3  = 1.603112     ν 3 = 60.6
R 5  =   132.338      D 5  =   可変    
R 6  =    55.422      D 6  =   1.02      N 4  = 1.882997     ν 4 = 40.8
R 7  =     8.940      D 7  =   3.73      
R 8  =    45.883      D 8  =   0.87      N 5  = 1.882997     ν 5 = 40.8
R 9  =    16.672      D 9  =   2.94      
R10  =   -57.628      D10  =   0.76      N 6  = 1.882997     ν 6 = 40.8
R11  =    45.188      D11  =   0.10      
R12  =    20.109      D12  =   2.37      N 7  = 1.922860     ν 7 = 18.9
R13  = -1004.281      D13  =   可変    
R14  =      絞り      D14  =   1.40      
*R15  =    10.269      D15  =   3.41      N 8  = 1.743198     ν 8 = 49.3
R16  =    32.248      D16  =   1.48      
R17  =    16.211      D17  =   1.07      N 9  = 1.806100     ν 9 = 33.3
R18  =     9.495      D18  =   0.29      
R19  =    15.959      D19  =   0.61      N10  = 2.003300     ν10 = 28.3
R20  =     7.149      D20  =   2.09      N11  = 1.693501     ν11 = 53.2
R21  =  -107.309      D21  =   可変    
R22  =     0.000      D22  =   0.00      
*R23  =    23.667      D23  =   2.14      N12  = 1.743198     ν12 = 49.3
R24  =   -23.155      D24  =   0.51      N13  = 1.761821     ν13 = 26.5
R25  =  -943.315      D25  =   可変 
R26  =   200.000      D26  =   1.20      N14  = 1.516330     ν14 = 64.1
R27  =        ∞      D27  =   1.50      
R28  =        ∞      D28  =   0.76      N15  = 1.516330     ν15 = 64.1
R29  =        ∞
＼焦点距離       4.92  31.07  104.23
可変間隔＼
D 5                  0.80 28.38  40.09
D13                  34.11   4.70  1.77
D21                  6.73 11.35  70.77
D25                  6.60 16.19  4.13
非球面係数
15面 : ｋ= 2.57794e-02  Ｂ=-5.66906e-05  Ｃ=-5.37360e-07  Ｄ= 9.71222e-09  
Ｅ=-4.12277e-10
23面 : ｋ=-5.28143e-01  Ｂ=-5.34071e-06  Ｃ= 8.56601e-07  Ｄ=-3.33911e-08  
Ｅ= 4.98653e-10
移動係数
1群： a1= 4.50356e+01  a2=-2.86732e+02  a3= 2.88223e+02  a4= 1.86642e+02
a5=-6.93007e+02  a6= 5.93320e+02  a7=-1.72147e+02
2群： b1= 1.12517e+02  b2=-3.05978e+02  b3= 3.12786e+02  b4= 2.96063e+02
b5=-1.23003e+03  b6= 1.21223e+03  b7=-3.96830e+02
3群： c1=-3.15699e+01
数値実施例  7
ｆ＝ 5.29〜69.75  Ｆｎｏ＝ 2.87〜4.38   ２ω＝75.2°〜6.4°
R 1  =    73.270      D 1  =   1.93      N 1  = 1.806100     ν 1 = 33.3
R 2  =    36.134      D 2  =   6.10      N 2  = 1.496999     ν 2 = 81.5
R 3  = -1593.867      D 3  =   0.10      
R 4  =    34.292      D 4  =   4.37      N 3  = 1.603112     ν 3 = 60.6
R 5  =   132.338      D 5  =   可変    
R 6  =    52.461      D 6  =   1.02      N 4  = 1.882997     ν 4 = 40.8
R 7  =     8.940      D 7  =   3.73      
R 8  =    45.883      D 8  =   0.87      N 5  = 1.882997     ν 5 = 40.8
R 9  =    16.672      D 9  =   2.94      
R10  =   -57.628      D10  =   0.76      N 6  = 1.882997     ν 6 = 40.8
R11  =    45.188      D11  =   0.10      
R12  =    20.109      D12  =   2.37      N 7  = 1.922860     ν 7 = 18.9
R13  = -1004.281      D13  =   可変    
R14  =      絞り      D14  =   1.40      
*R15  =    10.049      D15  =   3.41      N 8  = 1.743198     ν 8 = 49.3
R16  =    27.755      D16  =   1.48      
R17  =    16.673      D17  =   1.07      N 9  = 1.806100     ν 9 = 33.3
R18  =     9.550      D18  =   0.29      
R19  =    15.181      D19  =   0.61      N10  = 2.003300     ν10 = 28.3
R20  =     7.016      D20  =   2.09      N11  = 1.693501     ν11 = 53.2
R21  =   -84.195      D21  =   可変    
R22  =        ∞      D22  =   0.00      
*R23  =    24.228      D23  =   2.14      N12  = 1.743198     ν12 = 49.3
R24  =   -27.285      D24  =   0.51      N13  = 1.717362     ν13 = 29.5
R25  =   143.304      D25  =   可変    
R26  =        ∞      D26  =   0.76      N14  = 1.516330     ν14 = 64.1
R27  =        ∞
＼焦点距離       5.29  21.42  69.75
可変間隔＼
D 5                  0.80 22.48  37.91
D13                  34.11   9.27   2.29
D21                  7.58  8.85  22.33
D25                  5.70 13.51  11.13
非球面係数
15面 : ｋ= 2.80071e-02  Ｂ=-5.92226e-05  Ｃ=-5.08480e-07  Ｄ= 9.17201e-09  
Ｅ=-4.38251e-10
23面 : ｋ=-5.28143e-01  Ｂ=-5.34071e-06  Ｃ= 8.56601e-07  Ｄ=-3.33911e-08  
Ｅ= 4.98653e-10
移動係数
1群： a1= 2.75403e+01  a2=-1.36240e+02  a3= 9.94375e+01  a4= 4.50498e+01
a5=-1.17423e+02  a6= 7.05906e+01  a7=-1.44231e+01  
2群： b1= 8.04478e+01  b2=-1.49869e+02  b3= 1.06938e+02  b4= 7.15414e+01
b5=-2.08709e+02  b6= 1.44127e+02  b7=-3.28304e+01  
3群： c1=-2.01720e+01
【０１１６】
【表１】
0005072474.tif 000002
【図面の簡単な説明】
【０１１７】
【図１】本発明の数値実施例１の広角端におけるレンズ断面図及びズーム軌跡
【図２】本発明の数値実施例１の広角端における収差図
【図３】本発明の数値実施例１の望遠端における収差図
【図４】本発明の数値実施例２の広角端におけるレンズ断面図及びズーム軌跡
【図５】本発明の数値実施例２の広角端における収差図
【図６】本発明の数値実施例２の望遠端における収差図
【図７】本発明の数値実施例３の広角端におけるレンズ断面図及びズーム軌跡
【図８】本発明の数値実施例３の広角端における収差図
【図９】本発明の数値実施例３の望遠端における収差図
【図１０】本発明の数値実施例４の広角端におけるレンズ断面図及びズーム軌跡
【図１１】本発明の数値実施例４の広角端における収差図
【図１２】本発明の数値実施例４の望遠端における収差図
【図１３】本発明の数値実施例５の広角端におけるレンズ断面図及びズーム軌跡
【図１４】本発明の数値実施例５の広角端における収差図
【図１５】本発明の数値実施例５の望遠端における収差図
【図１６】本発明の数値実施例６の広角端におけるレンズ断面図及びズーム軌跡
【図１７】本発明の数値実施例６の広角端における収差図
【図１８】本発明の数値実施例６の望遠端における収差図
【図１９】本発明の数値実施例７の広角端におけるレンズ断面図及びズーム軌跡
【図２０】本発明の数値実施例７の広角端における収差図
【図２１】本発明の数値実施例７の望遠端における収差図
【図２２】本発明の撮像装置の概略図
【符号の説明】
【０１１８】
1   Ｌ１    第１レンズ群
2   Ｌ２    第２レンズ群
3   Ｌ３    第３レンズ群
4   Ｌ４    第４レンズ群
5   Ｌ５    第５レンズ群
6   ＳＰ    絞り
7   Ｇ      ガラスブロック
8   ＩＰ    像面
9   *       非球面
10   ｄ      ｄ線
11  ｇ      ｇ線
12  ΔＳ    サジタル像面
13  ΔＭ    メリディオナル像面 
【図１】
0005072474.tif 000003
【図２】
0005072474.tif 000004
【図３】
0005072474.tif 000005
【図４】
0005072474.tif 000006
【図５】
0005072474.tif 000007
【図６】
0005072474.tif 000008
【図７】
0005072474.tif 000009
【図８】
0005072474.tif 000010
【図９】
0005072474.tif 000011
【図１０】
0005072474.tif 000012
【図１１】
0005072474.tif 000013
【図１２】
0005072474.tif 000014
【図１３】
0005072474.tif 000015
【図１４】
0005072474.tif 000016
【図１５】
0005072474.tif 000017
【図１６】
0005072474.tif 000018
【図１７】
0005072474.tif 000019
【図１８】
0005072474.tif 000020
【図１９】
0005072474.tif 000021
【図２０】
0005072474.tif 000022
【図２１】
0005072474.tif 000023
【図２２】
0005072474.tif 000024